(57)【要約】【課題】  受診者の都合を優先した受診予約。【解決手段】  検査内容に必要な医療機器を格納した使用設備情報データベース４１と、診療科及び健診コース毎並びに日付時間帯毎に予約空き人数を格納した予約情報データベース４２と、医療機器並びに日付時間帯毎に予約空き人数を格納した設備空き情報データベース４３とを備え、設定された検査内容に必要な医療機器を使用設備情報データベース４１を参照して検索し、該検索した医療機器をキーとして予約情報データベース４２を参照して予約空き人数が１以上であり、且つ検索した医療機器をキーとして前記設備空き情報データベース４３を参照して予約空き人数が１以上であるとき、該予約空き人数がある日時間帯を検索することによって、一般診療及び健康診断に必要な医療機器の予約状況を管理するもの。【選択図】図１
2007206773.tif 000002
【特許請求の範囲】
【請求項１】
検査内容に応じた医療機器が規定される受診を予約する医療用受診予約システムであって、
検査内容に必要な医療機器を格納した使用設備情報データベースと、診療科及び健診コース毎並びに日付時間帯毎に予約空き人数を格納した予約情報データベースと、医療機器並びに日付時間帯毎に予約空き人数を格納した設備空き情報データベースと、前記各データベースを制御する予約可否判定エンジンとを備え、
該予約可否判定エンジンが、設定された検査内容に必要な医療機器を使用設備情報データベースを参照して検索し、該検索した医療機器をキーとして前記予約情報データベースを参照し、指定された医療機器の予約空き人数が１以上であり、且つ検索した医療機器をキーとして前記設備空き情報データベースを参照し、指定された医療機器の予約空き人数が１以上であるとき、該予約空き人数がある日時間帯を検索することを特徴とする医療用受診予約システム。
【請求項２】
前記請求項１記載の医療用受診予約システムにおいて、予約情報データベース及び設備空き情報データベースが医療機器毎の予約可能人数と予約済み人数とを格納し、予約可否判定エンジンが、前記予約可能人数から予約済み人数を減算して予約空き人数を算出することを特徴とする医療用受診予約システム。
【請求項３】
前記請求項１又は２記載の医療用受診予約システムにおいて、
前記医療機器が、内視鏡検査とＣＴ装置とＭＲＩ装置とＸ線造影装置とを含むことを特徴とする医療用受診予約システム。
【請求項４】
検査内容に応じた医療機器が規定される受診を予約する医療用受診予約システムの医療用受診予約方法であって、
検査内容に必要な医療機器を格納した使用設備情報データベースと、診療科及び健診コース毎並びに日付時間帯毎に予約空き人数を格納した予約情報データベースと、医療機器並びに日付時間帯毎に予約空き人数を格納した設備空き情報データベースと、前記各データベースを制御する予約可否判定エンジンを用意し、
前記予約可否判定エンジンが、設定された検査内容に必要な医療機器を使用設備情報データベースを参照して検索する第１ステップと、該第１ステップにより検索した医療機器をキーとして前記予約情報データベースを参照し、指定された医療機器の予約空き人数が１以上であるか否かを判定する第２ステップと、前記第１ステップにより検索した医療機器をキーとして前記設備空き情報データベースを参照し、指定された医療機器の予約空き人数が１以上であるか否かを判定する第３ステップと、前記第２ステップ及び第３ステップにより判定した両予約空き人数が１以上か否かを判定する第４ステップとを実行することを特徴とする医療用受診予約方法。
【請求項５】
前記請求項４記載の医療用受診予約方法において、予約情報データベース及び設備空き情報データベースに医療機器毎の予約可能人数と予約済み人数とを格納しておき、予約可否判定エンジンが、前記予約可能人数から予約済み人数を減算して予約空き人数を算出する第５ステップを含むことを特徴とする医療用受診予約方法。
【発明の詳細な説明】
【技術分野】
【０００１】
本発明は、医療機器も含む医療の受診予約を行うことができる医療用受診予約システム及び医療用受診予約方法に関する。
【背景技術】
【０００２】
一般の医療機関における健診業務は、医療機関が予め複数の健診実施日を設定し、この設定日における各種検査に必要な医療機器（例えば、Ｘ線造影装置／超音波診断装置／ＣＴ装置／ＭＲＩ装置等）を健診業務に使用することをノート等を用いて予約しておき、この設定した日に受診が可能な受診者を募ることにより行われている。
尚、一般医療の受診予約をコンピュータ処理により行う技術が記載された文献としては、例えば下記特許文献が挙げられる。
【特許文献１】特開２００４−５２６３号公報
【特許文献２】特開２００２−２７９０６０号公報
【発明の開示】
【発明が解決しようとする課題】
【０００３】
前述の特許文献記載の技術は、コンピュータ処理により受診予約行うものが提案されているものの、例えば、健診コース（一般健診、成人病検診、ガン検診等）／年齢／性別等に基づく各種検査に必要な医療機器の選定及び予約をコンピュータを用いて行うことは考慮されておらず、人手によって前記医療機器の選定や予約を行わければならないと言う不具合があった。
【０００４】
また従来技術による健診業務は、医療機関により指定された日程に受診者が合わせて設定しなければならず、受診者の都合を優先した受診日の設定が困難であると言う不具合もあった。
【０００５】
本発明の目的は、前述の従来技術による不具合を除去することであり、健診に必要な医療機器の予約状況を管理し、受診者の都合を優先した受診予約を行うことができる医療用受診予約システム及び医療用受診予約方法を提供することである。
【課題を解決するための手段】
【０００６】
上記目的を達成するため本発明は、検査内容に応じた医療機器が規定される受診を予約する医療用受診予約システムにおいて、検査内容に必要な医療機器を格納した使用設備情報データベースと、診療科及び健診コース毎並びに日付時間帯毎に予約空き人数を格納した予約情報データベースと、医療機器並びに日付時間帯毎に予約空き人数を格納した設備空き情報データベースと、前記各データベースを制御する予約可否判定エンジンとを備え、該予約可否判定エンジンが、設定された検査内容に必要な医療機器を使用設備情報データベースを参照して検索し、該検索した医療機器をキーとして前記予約情報データベースを参照し、指定された医療機器の予約空き人数が１以上であり、且つ検索した医療機器をキーとして前記設備空き情報データベースを参照し、指定された医療機器の予約空き人数が１以上であるとき、該予約空き人数がある日時間帯を検索することを第１の特徴とする。
【０００７】
また本発明は、前記第１の特徴による医療用受診予約システムにおいて、予約情報データベース及び設備空き情報データベースが医療機器毎の予約可能人数と予約済み人数とを格納し、予約可否判定エンジンが、前記予約可能人数から予約済み人数を減算して予約空き人数を算出することを第２の特徴とし、同医療用受診予約システムにおいて、前記医療機器が、内視鏡検査とＣＴ装置とＭＲＩ装置とＸ線造影装置とを含むことを第３の特徴とする。
【０００８】
更に本発明は、検査内容に応じた医療機器が規定される受診を予約する医療用受診予約システムの医療用受診予約方法において、検査内容に必要な医療機器を格納した使用設備情報データベースと、診療科及び健診コース毎並びに日付時間帯毎に予約空き人数を格納した予約情報データベースと、医療機器並びに日付時間帯毎に予約空き人数を格納した設備空き情報データベースと、前記各データベースを制御する予約可否判定エンジンを用意し、前記予約可否判定エンジンが、設定された検査内容に必要な医療機器を使用設備情報データベースを参照して検索する第１ステップと、該第１ステップにより検索した医療機器をキーとして前記予約情報データベースを参照し、指定された医療機器の予約空き人数が１以上であるか否かを判定する第２ステップと、前記第１ステップにより検索した医療機器をキーとして前記設備空き情報データベースを参照し、指定された医療機器の予約空き人数が１以上であるか否かを判定する第３ステップと、前記第２ステップ及び第３ステップにより判定した両予約空き人数が１以上か否かを判定する第４ステップとを実行することを第４の特徴とし、この医療用受診予約方法において、予約情報データベース及び設備空き情報データベースに医療機器毎の予約可能人数と予約済み人数とを格納しておき、予約可否判定エンジンが、前記予約可能人数から予約済み人数を減算して予約空き人数を算出するステップを含むことを第５の特徴とする。
【発明の効果】
【０００９】
本発明による医療用受診予約システム及び医療用受診予約方法によれば、検査内容に必要な医療機器を格納した使用設備情報データベースと、診療科及び健診コース毎並びに日付時間帯毎に予約空き人数を格納した予約情報データベースと、医療機器並びに日付時間帯毎に予約空き人数を格納した設備空き情報データベースとを備え、設定された検査内容に必要な医療機器を使用設備情報データベースを参照して検索し、該検索した医療機器をキーとして前記予約情報データベースを参照して予約空き人数が１以上であり、且つ検索した医療機器をキーとして前記設備空き情報データベースを参照して予約空き人数が１以上であるとき、該予約空き人数がある日時間帯を検索することによって、健診に必要な医療機器の予約状況を管理し、受診者の都合を優先した受診予約を行うことができる。
【発明を実施するための最良の形態】
【００１０】
以下、本発明による医療用受診予約方法を適用した医療用受診予約システムの一実施形態を図面を参照して詳細に説明する。図１は本実施形態による医療用受診予約システムの全体構成を示す図、図２は本実施形態による設備空き情報データベースの構成を示す図、図３は本実施形態による使用設備情報データベースの構成を示す図、図４は本実施形態による予約情報データベースの構成を示す図である。
<構成説明>
【００１１】
本実施形態による医療用受診予約システムは、図１に示す如く、本実施形態の特徴である医療用受診予約サーバ２０と、該医療用受診予約サーバ２０に接続されて後述する複数のデータベースを含むデータベースサーバ４０と、前記医療用受診予約サーバ２０に接続され、医療機関等の予約業務の担当者が操作するための予約業務従事者利用端末３０と、一般の受診希望者がインターネット１１及びＷｅｂ１２を介して前記医療用受診予約サーバ２０に接続する受診希望者利用端末１０とから構成される。
【００１２】
前記データベースサーバ４０は、診療や検査内容（例えば、腎・尿路系セット検査／人間ドッグコース等）に必要な各種医療機器（例えば、内視鏡／ＣＴ装置等）の対応を格納した使用設備情報データベース４１と、日付時間帯毎に一般診療及び健診の予約情報を格納した予約情報データベース４２と、前記医療機器の日付時間帯毎の空き情報を格納する設備空き情報データベース４３とから構成される。
【００１３】
前記医療用受診予約サーバ２０は、前記使用設備情報データベース４１を参照して診査に必要な設備機器を管理する使用設備管理部２２と、前記予約情報データベース４２を参照して前記健診の予約情報を管理する予約スケジュール管理部２３と、前記設備空き情報データベース４３を参照して使用設備の空き情報を管理する設備スケジュール管理部２４と、前記使用設備管理部２２と予約スケジュール管理部２３と設備スケジュール管理部２４とを制御して受診者の希望の健診等が希望日に予約できるか否かを判定する予約可否判定エンジン２１とを備える。
【００１４】
前記使用設備情報データベース４１は、図２に示す如く、胃部内視鏡検査／脳ＭＲＩ検査／腎・尿路系セット検査／人間ドックのコース等の検査内容に応じた予約を必要とする医療機器（設備）の関係を格納したものであって、例えば、脳ＭＲＩ検査にはＭＲＩ装置のみが必要であること、腎・尿路系セット検査にはＣＴ装置及びＸ線造影装置とが必要であること、人間ドックＡコースにはＣＴ装置／ＤＲ装置／超音波診断装置が必要であることが格納されている。
【００１５】
前記予約情報データベース４２は、一般診療並びに健康診断における日時間帯毎の予約可能人数・予約済人数・予約空き人数の情報を格納するものであって、例えば、一般診療の消化器科の１０月２４日の９時〜１０時の時間帯においては「１０／１０（０）」の如く予約可能人数が「１０」／予約済人数が「１０」、予約空き人数が「０」であること、人間ドックＡコースの１０月２５日の１０時〜１２時においては「１２／１５（３）」の如く予約可能人数が「１５」／予約済人数が「１２」、予約空き人数が「３」であることが格納されている。
【００１６】
前記設備空き情報データベース４３は、前述の医療機器毎・日付時間帯毎の予約可能人数・予約済み人数・予約空き情報を格納するものであって、例えば、１０月２４日の９時〜１０時の間のＣＴ装置に対しては「３／３（０）」の如く、予約可能人数が「３」、予約済み人数が「０」、予約空き情報が「０」であること、１０月２５日の９時〜１０時の間のＸ線造影装置に対しては「１／２（１）」の如く、予約可能人数が「２」、予約済み人数が「１」、予約空き情報が「１」であることが格納されている。
尚、前記各データベース４１〜４３に格納される各情報は、随時必要に応じて更新されるものである。またデータベース４１〜４２に格納される予約空き人数は、予約可能人数から予約済み人数を減算して得るように構成しても良い。
<動作説明>
【００１７】
さて、前述のように構成された本実施形態による医療用受診予約システムは、前記使用設備情報データベース４１／予約情報データベース４２／設備空き情報データベース４３に各情報を格納している状態において、受診希望者が利用端末１０を操作してインターネット１１及びＷｅｂサーバ１２を介して医療用受診予約サーバ２０にアクセスすると、該医療用受診予約サーバ２０が、受診希望者が指定した受診内容等の予約条件を設定し、予約可否判定エンジン２１を起動する。
【００１８】
この予約可否判定エンジン２１は、前記設定された予約条件（検査内容）に基き、使用設備管理部２２を制御して使用設備情報データベース４１を検索し、指定された検査内容に必要な設備機器情報を取得し、この取得した設備機器情報をキーとして予約スケジュール管理部２３を制御し、予約情報データベース４２から各診療科又は各健診コースの予約空き情報を取得（但し、予約条件が一般診療で検査のみの場合には本処理は省略）すると共に、前記取得した設備機器情報を用いて設備スケジュール管理部２４を制御し、設備空き情報データベース４３から設備の空き情報を取得する。
【００１９】
これら各診療科又は各健診コースの予約空き情報及び設備の空き情報を基に前記予約可否判定エンジン２１は、受診者の希望した検査内容に必要な設備が予約可能な日時を判定し、その結果をＷｅｂサーバ１２並びにインターネット１１を介して受診希望者利用端末１０の画面上に表示する。
【００２０】
これら処理を具体的に説明すると、前記処理は、予約可否判定エンジン２１が、受診者により設定された検査内容に必要な医療機器を使用設備情報データベース４１を参照して検索する第１ステップと、この検索した医療機器をキーとして予約情報データベース４２を参照し、指定された医療機器の予約空き人数が１以上であるか否かを判定する第２ステップと、前記第１ステップにより検索した医療機器をキーとして前記設備空き情報データベース４３を参照し、指定された医療機器の予約空き人数が１以上であるか否かを判定する第３ステップと、前記第２ステップ及び第３ステップにより判定した両予約空き人数が１以上か否かを判定する第４ステップと、受診者の希望した検査内容に必要な設備が予約可能な日時を判定する第５ステップと、該ステップ５により判定した結果をＷｅｂサーバ１２並びにインターネット１１を介して受診希望者利用端末１０の画面上に表示する第６ステップとを順次実行することによって行われる。
【００２１】
この表示した予約可能日時を基に受診者が都合の良い日時を受診希望者利用端末１０を用いて選択すると、予約可否判定エンジン２１は受診者から選択された日時の指定された検査内容に対応した設備（医療機器）の予約を予約情報データベース４２及び設備空き情報データベース４３に登録する様に動作する。
【００２２】
尚、前記実施形態においては受診者が希望した検査内容のみを条件として予約可能な日時を検索表示する例を説明したが、本発明はこれに限られるものではなく、例えば希望検査内容及び日付を条件として予約が可能か否かの判定を行い、この結果を受診者に表示する或いは前記判定結果に加えて前述の実施形態の様に受診可能な予約可能日を表示する様に構成しても良い。
【００２３】
この様に本実施形態による医療用受診予約システム及び医療用受診予約方法は、検査内容に必要な医療機器（設備）の情報と、診療科及び健診コース毎並びに日付時間帯毎に予約空き人数情報と、医療機器並びに日付時間帯毎に予約空き人数とをデータベース化しておき、指定された診療科及び健診コースに応じた医療機器を検索し、該医療機器に対する空き情報を検索することによって、受診者の都合を優先した受診予約を行うことができる。
【図面の簡単な説明】
【００２４】
【図１】本発明の一実施形態による医療用受診予約システムの全体構成を示す図。
【図２】本実施形態による設備空き情報データベースの構成を示す図。
【図３】本実施形態による使用設備情報データベースの構成を示す図。
【図４】本実施形態による予約情報データベースの構成を示す図。
【符号の説明】
【００２５】
１０：受診希望者利用端末、１１：インターネット、１２：Ｗｅｂサーバ、２０：医療用受診予約サーバ、２１：予約可否判定エンジン、２２：使用設備管理部、２３：予約スケジュール管理部、２４：設備スケジュール管理部、２４：設備スケジュール管理部、３０：予約業務従事者利用端末、４０：データベースサーバ、４１：使用設備情報データベース、４２：予約情報データベース。
【図１】
2007206773.tif 000003
【図２】
2007206773.tif 000004
【図３】
2007206773.tif 000005
【図４】
2007206773.tif 000006